(57)【要約】【課題】 携帯に便利な光測定装置を提供する。【解決手段】内部に収容空間を形成した殼体１０中に、光ファイバー接続器３０、光カプラー４０、光計測モジュール５０を搭載した該印刷回路板２０を設置し、該光計測モジュールに接続するアナログ/デジタル変換器６０、操作スイッチ７０、及び表示装置８０を設ける。さらに該三段切換スイッチ９０により、測定波長を測定対象とする光ファイバーの波長に合わせて３段階に切り替えることにより測定精度を向上する。【選択図】図１
0003137220.tif 000002
【実用新案登録請求の範囲】
【請求項１】
殼体、印刷回路板、光ファイバー接続器、光カプラー、光計測モジュール、アナログ/デジタル変換器、操作スイッチ、表示装置からなり、
該殼体は、内部に容置空間を具えると共に一端には第一開口、第二開口及び開孔を備え、
該印刷回路板は、以下の部品を搭載して該容置空間中に設置され、
該光ファイバー接続器の一端は、測定対象とする光ファイバーに接続可能なように該第一開口から外部に露出し、
該光カプラーは、該光ファイバー接続器中に収容設置され、
該光計測モジュールは、該印刷回路板上に設置されて該光カプラーが結合する光信号を計測してアナログ信号に変換し、
該アナログ/デジタル変換器は、該印刷回路板上に設置されて該光計測モジュールに接続され、該アナログ信号を受信して、デジタル信号に変換し、
該操作スイッチは、該光計測モジュールに接続されると共に上記開孔から外部に露出し、
該表示装置は、該アナログ/デジタル変換器に接続されると共に該第二開口から外部に露出し、
以上の構成により該操作スイッチの操作により、該光計測モジュールは該光カプラーが結合する光信号を計測し、該アナログ/デジタル変換器を経て変換後、該表示装置上に表示することを特徴とする光測定装置。
【請求項２】
前記殼体は、絶縁材料製であって上殼体及び下殼体からなり、該上殼体及び該下殼体は相互に蓋合して内部に上記容置空間を形成すると共に該第一開口は該上殼体及び該下殼体の前端に位置し、該開孔は該上殼体上に位置し、さらに該下殼体はポケットなどに挟持する挟持部を具えることを特徴とする請求項１記載の光測定装置。
【請求項３】
前記絶縁材料は、プラスチックで、該上殼体上には第三開口を備え、さらに該容置空間の第一開口の反対側にはさらに電池室を具えて、該電池室中には２個の電極を具えることを特徴とする請求項２記載の光測定装置。
【請求項４】
前記光測定装置は、さらに三段切換スイッチを備えて該光計測モジュールに接続し、該スイッチは該第三開口から外部に露出し、該スイッチの操作により該光計測モジュールの計測する光信号の波長を850nm、1310nm或いは1550nmに切換えて計測可能としたことを特徴とする請求項３記載の光測定装置。
【請求項５】
前記光測定装置は、さらにプッシュ部品、装飾片及びスイッチ部品を備え、
該プッシュ部品は、該操作スイッチの外側に嵌設されて、使用者が該プッシュ部品を介して該操作スイッチを押圧操作可能とし、
該装飾片は、さらに円孔及び方孔を具えて、該円孔は該プッシュ部品を外部に露出させ、該方孔は該表示装置を外部に露出させ、
該スイッチ部品は、該三段切換スイッチの外側に嵌設されて、使用者が該スイッチ部品を介して該三段切換スイッチを切換え可能としたことを特徴とする請求項１記載の光測定装置。
【請求項６】
前記光ファイバー接続器は、SC/LC/FC接続器で、上記表示装置は七段式発光ダイオードディスプレー或いは液晶ディスプレーであって、該光ファイバー接続器の外側で該第一開口の外側にはさらに透光片を備えて、該光ファイバー接続器を保護する共に、該光信号を透過させることを特徴とする請求項１記載の光測定装置。
【請求項７】
前記光測定装置は、さらに電池を備えて該電池室中に設置し、該電極を経由して該光カプラー、該光計測モジュール、該アナログ/デジタル変換器、該操作スイッチ及び該表示装置に接続し、必要な電源を供給することを特徴とする請求項３記載の光測定装置。
【考案の詳細な説明】
【技術分野】
【０００１】
本考案は、光測定装置に関する。特に、通信用不可視光線の測定に用い、しかも小型で、携帯可能という長所を具える光測定装置に係る。
【背景技術】
【０００２】
公知の通信用不可視光線の測定に用いる光測定装置は、非常に高価で、しかも携帯の便が悪い。通常、その一端に光ファイバーを接続し、さらに該光測定装置により計測し、該通信信号の良否を判断する。
作業人員は無線通信の品質を確保するため、恒常的に各地に赴いて計測及びメンテナンスを行う必要がある。
しかし公知の光測定装置は体積が大きく、携帯に不便で高価であるため、作業人員の即時かつ便利な使用のニーズを満たすことができない。
よって新型の光測定装を開発し、上記欠陥を克服する必要がある。
【特許文献１】特許第３６７３６４９号公報
【特許文献２】特開２００５−１８９２２０号公報
【考案の開示】
【考案が解決しようとする課題】
【０００３】
本考案が解決しようとする課題は、光測定装置において体積が小さく、携帯可能という長所を具え、
さらに、光信号の波長に応じて調整可能とするため三段切換スイッチを備え、光測定装置の測定精度を高めることができる。
【課題を解決するための手段】
【０００４】
上記課題を解決するため、本考案は下記の光測定装置を提供する。
それは殼体、印刷回路板、光ファイバー接続器、光カプラー、光計測モジュール、アナログ/デジタル変換器、操作スイッチ、表示装置を含み、
該殼体は容置空間を備え、しかも一端には第一開口、第二開口及び開孔を備え、
該印刷回路板は該容置空間中に設置し、以下の部品を設置し、
該光ファイバー接続器の一端は該第一開口において露出し、しかも光ファイバーに接続可能で、
該光カプラーは該光ファイバー接続器中に容置可能で、
該光計測モジュールは該印刷回路板上に設置し、該光カプラーが結合する光信号を計測し、アナログ信号に変換し、
該アナログ/デジタル変換器は該印刷回路板上に設置し、しかも該光計測モジュールに接続し、該アナログ信号を受信し、デジタル信号に変換し、
該操作スイッチは該光計測モジュールに接続し、しかも該開孔において露出し、
該表示装置は該アナログ/デジタル変換器に接続し、しかも該第二開口において露出し、
これにより該操作スイッチが押されると、該光計測モジュールは該光カプラーが結合する光信号を計測し、該アナログ/デジタル変換器を経て変換後、該表示装置上に表示する。
【考案の効果】
【０００５】
上記のように現行の技術と比較すると、本考案の光測定装置は体積が小さく携帯に便利であるため、操作人員はいつでもどこでも便利に光信号の計測を行うことができる。
【考案を実施するための最良の形態】
【０００６】
本考案の前記の及び他の技術内容、特徴と機能について、以下に図を用い、最適実施例について詳細に説明する。
本考案最適実施例の光測定装置の分解指示図である図1、その組合せ指示図である図2、及びその光測定装置のブロックチャートである図3に示すように、本考案の光測定装置は、殼体10、印刷回路板20、光ファイバー接続器30、光カプラー40、光計測モジュール50、アナログ/デジタル変換器60、操作スイッチ70、及び表示装置80を組合せて構成する。
【０００７】
該殼体10は、プラスチック材料など(但し、これに限定しない)の絶縁材により製造し、上殼体11及び下殼体12からなる。該上殼体11及び該下殼体12は、相互に蓋合し、内部に容置空間13を形成する。該上殼体11及び該下殼体12の前端には第一開口14を具え、さらに該上殼体11上には第二開口111、第三開口112及び開孔113を具える。
該印刷回路板20は、該光ファイバー接続器30、該光カプラー40、該光計測モジュール50、該アナログ/デジタル変換器60、該操作スイッチ70及び該表示装置80を搭載して、該容置空間13中に設置する。これは公知技術であるためここでは詳述しない。
該光ファイバー接続器30の一端は該第一開口14から外部に露出して、検査対象となる光ファイバー(図示なし)に接続可能とされ、
該光ファイバー中には計測を待つ通信用不可視光線信号(光信号と略称)を具える。該光ファイバー接続器は、SC/LC/FC光ファイバー接続器である。該光ファイバー接続器30の外側にはさらに透光片31を備え、それは該第一開口14の外側に設置し、該光ファイバー接続器30を保護する共に該光信号を透過させる。
【０００８】
該光カプラー40は、該光ファイバー接続器30中に設置し、該光ファイバー中の光信号を該光計測モジュール50に結合する。
該光計測モジュール50は、該印刷回路板20上に設置され、該光カプラー40が結合する光信号を計測し、アナログ信号に変換する。
該アナログ/デジタル変換器(ADC)60は、該印刷回路板20上に設置されて該光計測モジュール50に接続し、該アナログ信号を受信してデジタル信号に変換し、カウントする。
該操作スイッチ70は、該印刷回路板20上に設置され、該光計測モジュール50に接続されると共に該開孔113から外部に露出し、押圧操作されることにより該光計測モジュール50を駆動する。さらに、該操作スイッチ70の外側にはプッシュ部品71を備え、該操作スイッチ70に嵌設されて使用者は該プッシュ部品を介して該操作スイッチ70を押すことができる。該プッシュ部品71の外側にはさらに円孔73及び方孔74を備えた装飾片72を設け、該円孔73から外部に該プッシュ部品71を露出させる。
【０００９】
該表示装置80は、該アナログ/デジタル変換器70に接続され、該第二開口11及び該方孔74から外部に露出し、光信号のカウント値を表示する。該表示装置80は、7段式発光ダイオードディスプレー(LED)或いは液晶ディスプレー(但し、これに限定しない)である。
本考案の光測定装置は、さらに三段切換スイッチ90を備え、該光計測モジュール50に接続されると共に該第三開口112から外部に露出し、光信号の波長に応じて調整するために該光計測モジュール50の計測波長を850nm、1310nm或いは1550nmの光信号に切換え操作可能とし、これにより本考案の光測定装置の測定精度を向上することができる。さらに、該三段切換スイッチ90の外側にはスイッチ部品91を備えて該三段切換スイッチ90に嵌設し、使用者は該スイッチ部品を介して該三段切換スイッチ90を切換え操作する。
【００１０】
また、本考案の光測定装置は、さらに電池100を備え、該容置空間13の反対側には電池室15を具える。該電池100は該電池室15中に設置されて電極151、152を経由し、該光カプラー40、該光計測モジュール50、該アナログ/デジタル変換器60、該操作スイッチ70及び該表示装置80に接続され、必要な電源を供給する。該電池100は、一般の使い捨て電池或いは充電電池である。
さらに、本考案の光測定装置の下殼体12は、挟持部121を具え、これにより操作人員は該光測定装置をポケット中に挟持することができる。
【００１１】
以上の構成部品を組合せて後、先ず該三段切換スイッチ90を850nm(1310nm或いは1550nm。本実施例中では850nmを例として巻明するが、これに限定するものではない)の波長ビーム計測のモードに切換える。次に、光ファイバー(図示なし)を該光ファイバー接続器30に接続し、続いて該操作スイッチ70を押す。こうして、該光計測モジュール50は該光カプラー40が結合する光信号を計測することができる。該アナログ/デジタル変換器60の変換及びカウントを経て、該表示装置80上に表示し、操作人員は該表示装置80上の数値に基づき光信号の強度を知ることができ、後続のメンテナンス或いは調整操作を行うことができる。
【００１２】
本考案の光測定装置は、体積が小さく、携帯に便利で、三段切換スイッチを具えるため、光信号の波長に応じて調整可能で、これにより本考案の光測定装置の測定精度を高めることができる等の長所を備える。よって公知光測定装置の欠点を改善することができる。
本考案は具体的実施例を上記の通り開示したが、これらは最適実施例に過ぎず、本考案の製品と領域を脱しない範囲内で各種の変動や潤色を加えることができ、したがって本考案の保護範囲は、実用新案請求の範囲で指定した内容を基準とする。
本考案は目的、手段、機能と効果のすべてにおいて公知の技術より優れており、しかも全く新しい考案で、実用的であり、実用新案の申請要件を満たしている。
【図面の簡単な説明】
【００１３】
【図１】本考案最適実施例の光測定装置の分解指示図である。
【図２】本考案最適実施例の光測定装置の組合せ指示図である。
【図３】本考案最適実施例の光測定装置のブロックチャートである。
【符号の説明】
【００１４】
10  殼体
11  上殼体
111  第二開口
112  第三開口
113  開孔
12  下殼体
121  挟持部
13  容置空間
14  第一開口
15  電池室
151、152  電極
20  印刷回路板
30  光ファイバー接続器
31  透光片
40  光カプラー
50  光計測モジュール
60  アナログ/デジタル変換器
70  操作スイッチ
71  プッシュ部品
72  装飾片
73  円孔
74  方孔
80  表示装置
90  三段切換スイッチ
91  スイッチ部品
100  電池
【図１】
0003137220.tif 000003
【図２】
0003137220.tif 000004
【図３】
0003137220.tif 000005